(57)【要約】【課題】本発明の目的は入力データを変調して単一ガンマ電圧でも正確なカラー具現が可能な平板表示装置及びその駆動方法を提供することにある。【解決手段】本発明に係る平板表示装置は、デジタルデータの入力を受けるタイミングコントローラーと、前記デジタルデータの色に応じて異なる階調数を有するように前記デジタルデータを変換するデータ変換器と、前記データ変換器からのデジタルデータをアナログデータに変換して画素セルを駆動するためのデータ駆動回路とを具備することを特徴とする。【選択図】図７
2005196115.tif 000002
【特許請求の範囲】
【請求項１】
デジタルデータの入力を受けるタイミングコントローラーと、
前記デジタルデータの色に応じて異なる階調数を有するように前記デジタルデータを変換するデータ変換器と、
前記データ変換器からのデジタルデータをアナログデータに変換して画素セルを駆動するためのデータ駆動回路と
を具備することを特徴とする平板表示装置。
【請求項２】
前記データ変換器は、入力されるＮビット（但し、Ｎは自然数）デジタルデータをＭビット（但し、ＭはＮより大きい自然数）デジタルデータに変換する
ことを特徴とする請求項１記載の平板表示装置。
【請求項３】
前記階調数は、前記Ｍビット内において互いに異なる
ことを特徴とする請求項２記載の平板表示装置。
【請求項４】
前記デジタルデータの中、赤色データは、緑及び青色データより多い階調数を有する
ことを特徴とする請求項３記載の平板表示装置。
【請求項５】
前記緑データは、青色データより多い階調数を有する
ことを特徴とする請求項４記載の平板表示装置。
【請求項６】
前記データ駆動回路は、前記Ｍビットに対応する互いに異なる複数のガンマ電圧を発生するガンマ電圧発生部を含む
ことを特徴とする請求項２記載の平板表示装置。
【請求項７】
前記データ駆動回路は、前記複数のガンマ電圧を用いて前記互いに異なる階調数を有する前記Ｍビットデジタルデータを前記アナログデータに変換して前記画素セルに供給する
ことを特徴とする請求項６記載の平板表示装置。
【請求項８】
前記画素セルに供給される赤色アナログデータは０Ｖ〜５Ｖ範囲の電圧レベルを有する
ことを特徴とする請求項７記載の平板表示装置。
【請求項９】
前記画素セルに供給される緑色アナログデータは０Ｖ〜２．５Ｖ範囲の電圧レベルを有する
ことを特徴とする請求項７記載の平板表示装置。
【請求項１０】
前記画素セルに供給される青色アナログデータは０Ｖ〜１．９Ｖ範囲の電圧レベルを有する
ことを特徴とする請求項７記載の平板表示装置。
【請求項１１】
前記画素セルは、エレクトロルミネセンスセルである
ことを特徴とする請求項１記載の平板表示装置。
【請求項１２】
デジタルデータの入力を受ける段階と、
前記デジタルデータの色に応じて異なる階調数を有するように前記デジタルデータを変換する段階と、
前記変換されたデジタルデータをアナログデータに変換して画素セルに供給する段階と
を含むことを特徴とする平板表示装置の駆動方法。
【請求項１３】
前記データを変換する段階は、入力されるＮビット（但し、Ｎは自然数）デジタルデータをＭビット（但し、ＭはＮより大きい自然数）デジタルデータに変換する
ことを特徴とする請求項１２記載の平板表示装置の駆動方法。
【請求項１４】
前記階調数は、前記Ｍビット内において互いに異なる
ものを特徴とする請求項１３記載の平板表示装置の駆動方法。
【請求項１５】
前記デジタルデータの中、赤色データは、緑及び青色データより多い階調数を有し、緑色データは青色データより多い階調数を有する
ことを特徴とする請求項１４記載の平板表示装置の駆動方法。
【請求項１６】
前記Ｍビットに対応する互いに異なる複数のガンマ電圧を発生する段階をさらに含む
ことを特徴とする請求項１３記載の平板表示装置の駆動方法。
【請求項１７】
前記変換されたデジタルデータをアナログデータに変換する段階は、前記複数のガンマ電圧を用いて互いに異なる階調数を有する前記Ｍビットデジタルデータを前記アナログデータに変換する
ことを特徴とする請求項１６記載の平板表示装置の駆動方法。
【請求項１８】
前記画素セルに供給される赤色アナログデータは０Ｖ〜５Ｖ範囲の電圧レベルを有する
ことを特徴とする請求項１７記載の平板表示装置の駆動方法。
【請求項１９】
前記画素セルに供給される緑色アナログデータは０Ｖ〜２．５Ｖ範囲の電圧レベルを有する
ことを特徴とする請求項１７記載の平板表示装置の駆動方法。
【請求項２０】
前記画素セルに供給される青色アナログデータは０Ｖ〜１．９Ｖ範囲の電圧レベルを有する
ことを特徴とする請求項１７記載の平板表示装置の駆動方法。
【発明の詳細な説明】
【技術分野】
【０００１】
本発明は、平板表示装置及びその駆動方法に関するもので、特に入力データを変調して単一ガンマ電圧でも正確なカラー具現が可能な平板表示装置及びその駆動方法に関するものである。
【背景技術】
【０００２】
最近、陰極線管（Ｃａｔｈｏｄｅ  Ｒａｙ  Ｔｕｂｅ）の短所である重さと大きさを減らすことができる各平板表示装置が開発されている。このような平板表示装置としては、液晶表示装置（Ｌｉｑｕｉｄ  Ｃｒｙｓｔａｌ  Ｄｉｓｐｌａｙ）、電界放出表示装置（ＦｉｅＬｄ  Ｅｍｉｓｓｉｏｎ  Ｄｉｓｐｌａｙ）、プラズマ表示パネル（Ｐｌａｓｍａ  Ｄｉｓｐｌａｙ  ＰａｎｅＬ）及びエレクトロルミネセンス（Ｅｌｅｃｔｒｏ−Ｌｕｍｉｎｅｓｃｅｎｃｅ；以下、ＥＬという）表示装置等がある。
【０００３】
このような平板表示装置の中、ＥＬ表示装置は、電子と正孔の再結合で蛍光体を発光させる自発光素子で、その蛍光体で無機化合物を使う無機ＥＬと有機化合物を使う有機ＥＬに対別される。このようなＥＬ表示装置は、低電圧駆動、自己発光、薄膜型、広い視野角、早い応答速度、高いコントラスト等の多くの長所を有していて次世代表示装置として期待されている。
【０００４】
図１は、ＥＬ表示装置の発光原理を説明するための一般的な有機ＥＬ構造を図示した断面図である。有機ＥＬは、陰極２と陽極１４との間に積層された電子注入層４、電子輸送層６、発光層８、正孔輸送層１０、正孔注入層１２を具備する。
【０００５】
透明電極である陽極１４と金属電極である陰極２との間に電圧を印加すれば、陰極２から発生した電子は、電子注入層４及び電子輸送層６を通じて発光層８の方に移動する。尚、陽極１４から発生した正孔は、正孔注入層１２及び正孔輸送層１０を通じて発光層８の方に移動する。これにより、発光層８では、電子輸送層６と正孔輸送層１０から供給された電子と正孔が衝突して再結合することにより光が発生するようになり、この光は、透明電極である陽極１４を通じて外部に放出されて画像を表示されるようにする。このようなＥＬ有機素子の発光輝度は、素子の両端にかかる電圧に比例するのではなく供給電流に比例するので、陽極１４は通常正電流源に接続される。
【０００６】
このような有機ＥＬ素子を利用するアクティブマトリックスＥＬ表示装置は、図２に示されるように、ゲートラインＧＬとデータラインＤＬの交差部にそれぞれ配列された画素２８を具備するＥＬパネル１６と、ＥＬパネル１６のゲートラインＧＬゲートラインＧＬを駆動するゲートドライバー１８と、ＥＬパネル１６のデータラインＤＬを駆動するデータドライバー２０と、ゲートドライバー１８とデータドライバー２０の駆動タイミングを制御すると共にデータドライバー２０にデジタルデータ信号ＲＧＢを供給するタイミングコントローラー４０とを具備する。
【０００７】
タイミングコントローラー４０は、外部（システム）から供給されるデジタルデータ信号ＲＧＢをデータドライバー２０に供給して、外部から垂直／水平同期信号とメインクロックを用いてゲートドライバー１８の駆動に必要なゲート制御信号ＧＣＳとデータドライバー２０の駆動に必要なデータ制御信号ＤＣＳを発生する。
【０００８】
ゲートドライバー１８は、タイミングコントローラー４０の制御の下にスキャンパルスをゲートラインＧＬ１乃至ＧＬｎに順次供給する。
【０００９】
データドライバー２０は、タイミングコントローラー４０から供給されるデータ制御信号ＤＣＳに応答してタイミングコントローラー４０から入力されるデジタルデータ信号をアナログデータ信号に変換する。また、データドライバー２０は、アナログデータ信号をスキャンパルスに同期して１ライン分ずつデータラインＤＬ１乃至ＤＬｍに供給する。
【００１０】
画素２８のそれぞれは、ゲートラインＧＬにスキャンパルスが供給される時データラインＤＬからのデータ信号の供給を受けてそのデータ信号に対応する光を発生するようになる。
【００１１】
このため、画素２８のそれぞれは、図３に示されるように、基底電圧源ＧＮＤに陰極が接続されたＥＬセルＯＥＬと、ゲートラインＧＬ、データラインＤＬ及び供給電圧源ＶＤＤに接続され、ＥＬセルＯＥＬの陽極に接続されて、そのＥＬセルＯＥＬを駆動するためのセル駆動部３０を具備する。
【００１２】
セル駆動部３０は、ゲートラインＧＬにゲート端子が、データラインＤＬにソース端子が、第１ノードＮ１にドレーン端子が接続されたスイッチング用の薄膜トランジスタＴ１と、第１ノードＮ１にゲート端子が、供給電圧源ＶＤＤにソース端子が、ＥＬセルＯＥＬにドレーン端子が接続された駆動用の薄膜トランジスタＴ２と、供給電圧源ＶＤＤと第１ノードＮ１との間に接続されたキャパシターＣとを具備する。
【００１３】
スイッチング用の薄膜トランジスタＴ１は、ゲートラインＧＬにスキャンパルスが供給されればターンオンされてデータラインＤＬに供給されたデータ信号を第１ノードＮ１に供給する。第１ノードＮ１に供給されたデータ信号は、キャパシターＣに充電されると共に駆動用の薄膜トランジスタＴ２のゲート端子に供給される。駆動用の薄膜トランジスタＴ２は、ゲート端子に供給されるデータ信号に応答して供給電圧源ＶＤＤからＥＬセルＯＥＬに供給される電流量Ｉを制御することでＥＬセルＯＥＬの発光量を調節するようになる。また、スイッチング用の薄膜トランジスタＴ１がターンオフされてもキャパシターＣでデータ信号が放電するので、駆動用の薄膜トランジスタＴ２は、次のフレームのデータ信号が供給されるまで供給電圧源ＶＤＤからの電流ＩをＥＬセルＯＥＬに供給してＥＬセルＯＥＬが発光を維持するようにする。
【００１４】
このように、従来のＥＬ表示装置は、入力データに比例する電流信号をＥＬセルＯＥＬのそれぞれに供給してそのＥＬセルＯＥＬを発光させることで画像を表示するようになる。ここで、ＥＬセルＯＥＬは、カラー具現のために赤（以下、Ｒという）の蛍光体を有するＲセルＯＥＬと、緑（以下、Ｇという）の蛍光体を有するＧセルＯＥＬ及び青（以下、Ｂという）の蛍光体を有するＢセルＯＥＬから構成される。また、３個のＲ、Ｇ、ＢセルＯＥＬを組み合わせて一つの画素に対するカラーを具現するようになる。ここで、Ｒ、Ｇ、Ｂ蛍光体のそれぞれは、互いに異なる発光効率を有している。換言すれば、Ｒ、Ｇ、ＢセルＯＥＬに同一なレベルのデータ信号を供給する場合、そのＲ、Ｇ、ＢセルＯＥＬの輝度レベルは互いに異なるようになる。これによって、Ｒ、Ｇ、Ｂセルのホワイトバランス（Ｗｈｉｔｅ  Ｂａｌａｎｃｅ）のためにＲ、Ｇ、Ｂ別に同一輝度対比ガンマ電圧を互いに異なるように設定している。したがって、データドライバー２０は、図４に示されるように、Ｒ、Ｇ、Ｂ別に互いに異なるガンマ電圧を生成するＲガンマ電圧生成部３２、Ｇガンマ電圧生成部３４及びＢガンマ電圧生成部３６を具備する。
【００１５】
Ｒガンマ電圧生成部３２は、図５に示されるように、互いに異なる輝度データに対応するようにｎ（ｎは自然数）個のガンマ電圧を生成する。このため、Ｒガンマ電圧生成部３２は、第１供給電圧源ＶＤＤ１と基底電圧源ＧＮＤとの間に直列接続されたｎ＋１個の抵抗Ｒ１１、Ｒ１２、Ｒ１３、Ｒ１４、・・・、Ｒ１ｎ＋１を具備する。このような、Ｒガンマ電圧生成部３２は、タイミングコントローラー４０からデータドライバー２０に入力される赤色デジタルデータ信号ＲＤＡＴＡのビット数に対応するｎ個の赤色ガンマ電圧ＲＧＭＡ１乃至ＲＧＭＡｎを第１供給電圧源ＶＤＤ１と基底電圧源ＧＮＤとの間に直列接続される抵抗Ｒ１１、Ｒ１２、Ｒ１３、Ｒ１４、・・・、Ｒ１ｎ＋１の間のノードから出力するようになる。
【００１６】
Ｇガンマ電圧生成部３４は、図５に示されるように、互いに異なる輝度データに対応するようにｎ個のガンマ電圧を生成する。このため、Ｇガンマ電圧生成部３４は、第２共通電圧源ＶＤＤ２と基底電圧源ＧＮＤとの間に直列接続されたｎ＋１個の抵抗Ｒ２１、Ｒ２２、Ｒ２３、Ｒ２４、・・・、Ｒ２ｎ＋１を具備する。このような、Ｇガンマ電圧生成部３４は、タイミングコントローラー４０からデータドライバー２０に入力される緑デジタルデータ信号ＧＤＡＴＡのビット数に対応するｎ個の緑ガンマ電圧ＧＧＭＡ１乃至ＧＧＭＡｎを第２供給電圧源ＶＤＤ２と基底電圧源ＧＮＤとの間に直列接続される抵抗Ｒ２１、Ｒ２２、Ｒ２３、Ｒ２４、・・・、Ｒ２ｎ＋１の間のノードから出力するようになる。
【００１７】
Ｂガンマ電圧生成部３６は、図５に示されるように、互いに異なる輝度データに対応するようにｎ個のガンマ電圧を生成する。このため、Ｂガンマ電圧生成部３６は、第３共通電圧源ＶＤＤ３と基底電圧源ＧＮＤとの間に直列接続されたｎ＋１個の抵抗Ｒ３１、Ｒ３２、Ｒ３３、Ｒ３４、・・・、Ｒ３ｎ＋１を具備する。このような、Ｂガンマ電圧生成部３６は、タイミングコントローラー４０からデータドライバー２０に入力される青色デジタルデータ信号ＢＤＡＴＡのビット数に対応するｎ個の青色ガンマ電圧ＢＧＭＡ１乃至ＢＧＭＡｎを第３供給電圧源ＶＤＤ３と基底電圧源ＧＮＤとの間に直列接続される抵抗Ｒ３１、Ｒ３２、Ｒ３３、Ｒ３４、・・・、Ｒ３ｎ＋１の間のノードから出力するようになる。
【００１８】
このような、第１乃至第３共通電圧源ＶＤＤ１、ＶＤＤ２、ＶＤＤ３において、Ｒ、Ｇ、Ｂ蛍光体のそれぞれが互いに異なる発光効率を有するので、第１共通電圧源ＶＤＤ１は、第２及び第３共通電圧源ＶＤＤ２、ＶＤＤ３より高い電圧値を発生する。この時、第３共通電圧源ＶＤＤ３は、第２共通電圧源ＶＤＤ２より小さな電圧値を発生する。
【００１９】
これによって、データドライバー２０は、Ｒガンマ電圧生成部３２、Ｇガンマ電圧生成部３４及びＢガンマ電圧生成部３６のそれぞれから供給される複数のガンマ電圧ＲＧＭＡ１乃至ＲＧＭＡｎ、ＧＧＭＡ１乃至ＧＧＭＡｎ、ＢＧＭＡ１乃至ＢＧＭＡｎ中、入力されたデジタルデータ信号に対応するガンマ電圧ＲＧＭＡ１乃至ＲＧＭＡｎ、ＧＧＭＡ１乃至ＧＧＭＡｎ、ＢＧＭＡ１乃至ＢＧＭＡｎを用いてアナログデータ信号を生成して、生成されたアナログデータ信号をスキャン信号に同期にするようにデータラインＤＬで供給することでＥＬパネル１６において所定の画像が表示されるようにする。
【００２０】
しかし、従来のＥＬ表示装置において、データドライバー２０は、互いに異なる発光効率を有するＲ、Ｇ、Ｂ蛍光体のそれぞれのホワイトバランスを合わせるために、Ｒガンマ電圧生成部３２、Ｇガンマ電圧生成部３４及びＢガンマ電圧生成部３６のそれぞれを具備するので、大きさが大きくなると共に価格が増加する問題点がある。
【発明の開示】
【発明が解決しようとする課題】
【００２１】
したがって、本発明の目的は入力データを変調して単一ガンマ電圧でも正確なカラー具現が可能な平板表示装置及びその駆動方法を提供することにある。
【課題を解決するための手段】
【００２２】
上記目的を達成するために、本発明に係るエレクトロルミネセンス表示装置は、デジタルデータの入力を受けるタイミングコントローラーと、前記デジタルデータの色に応じて異なる階調数を有するように前記デジタルデータを変換するデータ変換器と、前記データ変換器からのデジタルデータをアナログデータに変換して画素セルを駆動するためのデータ駆動回路と、を具備することを特徴とする。
【００２３】
前記平板表示装置において、前記データ変換器は、入力されるＮビット（但し、Ｎは自然数）デジタルデータをＭビット（但し、ＭはＮより大きい自然数）デジタルデータに変換することを特徴とする。
【００２４】
前記平板表示装置において、前記階調数は、前記Ｍビット内で互いに異なるを特徴とする。
【００２５】
前記平板表示装置において、前記デジタルデータの中、赤色は緑及び青色より多い階調数を有することを特徴とする。
【００２６】
前記平板表示装置において、前記緑は青色より多い階調数を有することを特徴とする。
【００２７】
前記平板表示装置において、前記データ駆動回路は、前記Ｍビットに対応する互いに異なる複数のガンマ電圧を発生するガンマ電圧発生部を具備することを特徴とする。
【００２８】
前記平板表示装置において、前記データ駆動回路は、前記複数のガンマ電圧を用いて前記互いに異なる階調数を有する前記Ｍビットデジタルデータを前記アナログデータに変換して前記画素セルに供給することを特徴とする。
【００２９】
前記平板表示装置において、前記画素セルに供給される前記赤色アナログデータの電圧レベルは、０Ｖ〜５Ｖ範囲の電圧レベルを有することを特徴とする。
【００３０】
前記平板表示装置において、前記画素セルに供給される前記緑アナログデータの電圧レベルは、０Ｖ〜２．５Ｖ範囲を有することを特徴とする。
【００３１】
前記平板表示装置において、前記画素セルに供給される前記青色アナログデータの電圧レベルは、０Ｖ〜１．９Ｖ範囲を有することを特徴とする。
【００３２】
前記平板表示装置において、前記画素セルは、エレクトロルミネセンスセルであることを特徴とする。
【００３３】
本発明に係る平板表示装置の駆動方法は、デジタルデータの入力を受ける段階と、前記デジタルデータの色に応じて異なる階調数を有するように前記デジタルデータを変換する段階と、前記変換されたデジタルデータをアナログデータに変換して画素セルに供給する段階とを含むことを特徴とする。
【００３４】
前記平板表示装置の駆動方法において、前記データを変換する段階は、入力されるＮビット（但し、Ｎは自然数）デジタルデータをＭビット（但し、ＭはＮより大きい自然数）デジタルデータに変換することを特徴とする。
【００３５】
前記平板表示装置の駆動方法において、前記階調数は、前記Ｍビット内で互いに異なることを特徴とする。
【００３６】
前記平板表示装置の駆動方法において、前記デジタルデータの中、赤色は、緑及び青色より多い階調数を有し、前記緑は青色より多い階調数を有することを特徴とする。
【００３７】
前記平板表示装置の駆動方法は、前記Ｍビットに対応する互いに異なる複数のガンマ電圧を発生する段階をさらに含むことを特徴とする。
【００３８】
前記平板表示装置の駆動方法において、前記変換されたデジタルデータをアナログデータに変換する段階は、前記複数のガンマ電圧を用いて前記互いに異なる階調数を有する前記Ｍビットデジタルデータを前記アナログデータに変換することを特徴とする。
【００３９】
前記平板表示装置の駆動方法において、前記画素セルに供給される前記赤色アナログデータの電圧レベルは、０Ｖ〜５Ｖ範囲の電圧レベルを有することを特徴とする。
【００４０】
前記平板表示装置の駆動方法において、前記画素セルに供給される前記緑アナログデータの電圧レベルは、０Ｖ〜２．５Ｖ範囲を有することを特徴とする。
【００４１】
前記平板表示装置の駆動方法において、前記画素セルに供給される前記青色アナログデータの電圧レベルは、０Ｖ〜１．９Ｖ範囲を有することを特徴とする。
【発明を実施するための最良の形態】
【００４２】
以下、本発明の実施の形態を添付した図６乃至図８を参照して詳しく説明する事にする。
【００４３】
図６を参照すれば、本発明の実施の形態に係る平板表示装置のエレクトロルミネセンス（Ｅｌｅｃｔｒｏ−Ｌｕｍｉｎｅｓｃｅｎｃｅ；以下、ＥＬという）表示装置は、ゲートラインＧＬとデータラインＤＬの交差部にそれぞれ配列されられた画素１２８を具備するＥＬパネル１１６と、ＥＬパネル１１６のゲートラインＧＬを駆動するゲートドライバー１１８と、ＥＬパネル１１６のデータラインＤＬを駆動するデータドライバー１２０と、ゲートドライバー１１８とデータドライバー１２０の駆動タイミングを制御すると共に外部から供給されるＮビット（Ｎは自然数）デジタルデータ信号ＲＧＢをＭビット（但し、ＭはＮより大きい自然数）デジタルデータ信号ＭＲＧＢに変換してデータドライバー１２０に供給するタイミングコントローラー１４０を具備する。
【００４４】
画素１２８のそれぞれは、ゲートラインＧＬにスキャンパルスが供給される時、データラインＤＬからのデータ信号の供給を受けてそのデータ信号に対応する光を発生するようになる。
【００４５】
このため、画素１２８のそれぞれは、図３に示されるように、基底電圧源ＧＮＤに陰極が接続されたＥＬセルＯＥＬと、ゲートラインＧＬ、データラインＤＬ及び供給電圧源ＶＤＤに接続され、ＥＬセルＯＥＬの陽極に接続されてそのＥＬセルＯＥＬを駆動するためのセル駆動部３０を具備する。
【００４６】
セル駆動部３０は、ゲートラインＧＬにゲート端子が、データラインＤＬにソース端子が、第１ノードＮ１にドレーン端子が接続されたスイッチング用薄膜トランジスタＴ１と、第１ノードＮ１にゲート端子が、供給電圧源ＶＤＤにソース端子が、ＥＬセルＥＬにドレーン端子が接続された駆動用薄膜トランジスタＴ２と、供給電圧源ＶＤＤと第１ノードＮ１との間に接続されたキャパシターＣを具備する。
【００４７】
スイッチング用薄膜トランジスタＴ１は、ゲートラインＧＬにスキャンパルスが供給されればターンオンされてデータラインＤＬに供給されたデータ信号を第１ノードＮ１に供給する。第１ノードＮ１に供給されたデータ信号は、キャパシターＣｓｔに充電されると共に駆動用薄膜トランジスタＴ２のゲート端子に供給される。駆動用薄膜トランジスタＴ２は、ゲート端子に供給されるデータ信号に応答して供給電圧源ＶＤＤからＥＬセルＯＥＬに供給される電流量Ｉを制御することでＥＬセルＯＥＬの発光量を調節するようになる。また、スイッチング用薄膜トランジスタＴ１がターンオフされてもキャパシターＣｓｔでデータ信号が放電するので、駆動用薄膜トランジスタＴ２は、次のフレームのデータ信号が供給されるまで供給電圧源ＶＤＤからの電流ＩをＥＬセルＯＥＬに供給してＥＬセルＯＥＬが発光を維持するようにする。
【００４８】
このように、本発明の実施の形態に係るＥＬ表示装置は、入力データに比例する電流信号をＥＬセルＯＥＬのそれぞれに供給してそのＥＬセルＯＥＬを発光させることで画像を表示するようになる。ここで、ＥＬセルＯＥＬは、カラー具現のために赤（以下、Ｒという）の蛍光体を有するＲセルＯＥＬと、緑（以下、Ｇという）の蛍光体を有するＧセルＯＥＬ及び青（以下、Ｂという）の蛍光体を有するＢセルＯＥＬから構成される。また、３個のＲ、Ｇ、ＢセルＯＥＬを組み合わせて一つの画素に対するカラーを具現するようになる。ここで、Ｒ、Ｇ、Ｂ蛍光体のそれぞれは、互いに異なる発光効率を有している。換言すれば、Ｒ、Ｇ、ＢセルＯＥＬに同一なレベルのデータ信号を供給する場合、そのＲ、Ｇ、ＢセルＯＥＬの輝度レベルは、互いに異なるようになる。これにより、Ｒ、Ｇ、Ｂセルのホワイトバランス（Ｗｈｉｔｅ  Ｂａｌａｎｃｅ）のためにＲ、Ｇ、Ｂセル別に同一輝度対比ガンマ電圧を互いに異なるように設定している。
【００４９】
タイミングコントローラー１４０は、外部（システム）から供給されるデジタルデータ信号ＲＧＢをデータドライバー１２０に供給して、外部からの垂直／水平同期信号とメインクロックを用いてゲートドライバー１１８の駆動に必要なゲート制御信号ＧＣＳとデータドライバー１２０の駆動に必要なデータ制御信号ＤＣＳを発生する。この時、タイミングコントローラー１４０は、図７に示されるように、外部から供給されるＮビットのデジタルデータ信号ＲＧＢをＭビットデジタルデータ信号ＭＲＧＢに変換するためのルックアップテーブル１４２を具備する。
【００５０】
ルックアップテーブル１４２は、ＮビットＲデジタルデータ信号ＲｄａｔａをＭビットのＲデジタルデータ信号ＭＲｄａｔａに変換するＲルックアップテーブル１４４と、ＮビットＧデジタルデータ信号ＧｄａｔａをＭビットのＧデジタルデータ信号ＭＧｄａｔａに変換するＧルックアップテーブル１４６と、ＮビットＢデジタルデータ信号ＢｄａｔａをＭビットのＢデジタルデータ信号ＭＢｄａｔａに変換するＢルックアップテーブル１４４を具備する。ここで、互いに異なる発光効率を有するＲ、Ｇ、Ｂセルの中からＧセルＧの効率がＲセルＲの２倍、ＢセルＢの効率がＲセルＲの２．６倍だと仮定すると共に、ルックアップテーブル１４２は外部から３ビットＲ、Ｇ、Ｂデジタルデータ信号Ｒｄａｔａ、Ｇｄａｔａ、Ｂｄａｔａを５ビットのＲ、Ｇ、Ｂデジタルデータ信号ＭＲｄａｔａ、ＭＧｄａｔａ、ＭＢｄａｔａに変換すると仮定して説明する事にする。
【００５１】
これによって、ルックアップテーブル１４２は、表１に示すように、３ビットＲ、Ｇ、Ｂデジタルデータ信号Ｒｄａｔａ、Ｇｄａｔａ、Ｂｄａｔａのそれぞれを５ビットのＲ、Ｇ、Ｂデジタルデータ信号ＭＲｄａｔａ、ＭＧｄａｔａ、ＭＢｄａｔａに変換するようになる。この時、３ビットＲ、Ｇ、Ｂデジタルデータ信号Ｒｄａｔａ、Ｇｄａｔａ、Ｂｄａｔａのそれぞれが皆最大輝度を有する１１１２の場合に、ルックアップテーブル１４２により出力される５ビットのＲ、Ｇ、Ｂデジタルデータ信号ＭＲｄａｔａ、ＭＧｄａｔａ、ＭＢｄａｔａはＲ、Ｇ、Ｂセルのそれぞれの発光効率を考慮して、Ｒデジタルデータ信号Ｒｄａｔａは１１１１１２に変換され、Ｇデジタルデータ信号Ｇｄａｔａは０１１１１２に変換されると共に、Ｂデジタルデータ信号Ｂｄａｔａは０１１００２に変換される。換言すれば、ルックアップテーブル１４２は、３ビットＲ、Ｇ、Ｂデジタルデータ信号Ｒｄａｔａ、Ｇｄａｔａ、Ｂｄａｔａのそれぞれの階調数を異なるようにして５ビットＲ、Ｇ、Ｂデジタルデータ信号ＭＲｄａｔａ、ＭＧｄａｔａ、ＭＢｄａｔａに変換するようになる。
【００５２】
【表１】
2005196115.tif 000003
【００５３】
これにより、Ｒルックアップテーブル１４４は、表１に示すように、３ビットのＲデジタルデータ信号Ｒｄａｔａを０乃至３１の間の階調（Ｇｒａｙ）を有する５ビットＲデジタルデータ信号ＭＲｄａｔａに変換するようになる。尚、Ｇルックアップテーブル１４６は、表１に示すように、３ビットのＧデジタルデータ信号Ｇｄａｔａを０乃至１５の間の階調を有する５ビットＧデジタルデータ信号ＭＧｄａｔａに変換するようになる。また、Ｂルックアップテーブル１４８は、表１に示すように、３ビットのＢデジタルデータ信号Ｂｄａｔａを０乃至１２の間の階調を５ビットＢデジタルデータ信号ＭＢｄａｔａに変換するようになる。
【００５４】
このように、ルックアップテーブル１４２は、３ビットから５ビットに変換されるＲ、Ｇ、Ｂデジタルデータ信号ＭＲｄａｔａ、ＭＧｄａｔａ、ＭＢｄａｔａのそれぞれの階調数を異なるようにすることで互いに異なる発光効率を有するＲ、Ｇ、Ｂセルのホワイトバランスを合わせることができるようになる。
【００５５】
ゲートドライバー１１８は、タイミングコントローラー１４０の制御の下にスキャンパルスをゲートラインＧＬ１乃至ＧＬｎに順次供給する。
【００５６】
データドライバー１２０は、タイミングコントローラー１４０から供給されるデータ制御信号ＤＣＳに応答してタイミングコントローラー１４０のルックアップテーブル１４２により５ビットに変換されたＲ、Ｇ、Ｂデジタルデータ信号ＭＲｄａｔａ、ＭＧｄａｔａ、ＭＢｄａｔａをアナログデータ信号に変換する。また、データドライバー１２０は、アナログデータ信号をスキャンパルスに同期して１ライン分ずつデータラインＤＬ１乃至ＤＬｍに供給する。このため、データドライバー１２０は、ガンマ電圧発生部１２６を具備する。
【００５７】
ガンマ電圧発生部１２６は、図８に示されるように、供給電圧源ＶＤＤと基底電圧源ＧＮＤとの間に直列接続されたｎ＋１個の抵抗Ｒ１、Ｒ２、Ｒ３、Ｒ４、・・・、Ｒｎ＋１を具備する。このようなガンマ電圧発生部１２６は、タイミングコントローラー１４０のルックアップテーブル１４２からデータドライバー１２０に入力される５ビットＲ、Ｇ、Ｂデジタルデータ信号ＭＲｄａｔａ、ＭＧｄａｔａ、ＭＢｄａｔａに対応するｎ個のガンマ電圧ＧＭＡ１乃至ＧＭＡｎを発生するようになる。すなわち、ガンマ電圧発生部１２６は、供給電圧源ＶＤＤと基底電圧源ＧＮＤとの間に直列接続される抵抗Ｒ１、Ｒ２、Ｒ３、Ｒ４、・・・、Ｒｎ＋１の間のノードから互いに異なる電圧レベルを有するｎ個のガンマ電圧ＧＭＡ１乃至ＧＭＡｎを出力するようになる。このようなガンマ電圧発生部１２６は、表２に示すように、３２個の互いに異なるガンマ電圧ＧＭＡを出力するようになる。
【００５８】
【表２】
2005196115.tif 000004
【００５９】
これにより、データドライバー１２０は、タイミングコントローラー１４０のルックアップテーブル１４２から供給される５ビットのＲ、Ｇ、Ｂデジタルデータ信号ＭＲｄａｔａ、ＭＧｄａｔａ、ＭＢｄａｔａのそれぞれに対応するガンマ電圧発生部１２６から供給されるｎ個のガンマ電圧ＧＭＡ１乃至ＧＭＡｎを選択してアナログデータ信号を生成するようになる。
【００６０】
具体的に、データドライバー１２０は、表３に示すように、５ビットのＲデジタルデータ信号ＭＲｄａｔａによりガンマ電圧発生部１２６から供給される３２個の互いに異なる電圧レベルを有するガンマ電圧ＧＭＡ１乃至ＧＭＡ３２に対応する０〜５Ｖ間のＲアナログデータ信号を生成するようになる。尚、データドライバー１２０は、５ビットのＧデジタルデータ信号ＭＧｄａｔａによりガンマ電圧発生部１２６から供給される３２個の互いに異なる電圧レベルを有するガンマ電圧ＧＭＡ１乃至ＧＭＡ３２中、第１乃至第１６ガンマ電圧ＧＭＡ１乃至ＧＭＡ１６に対応する０〜２．５Ｖ間のＧアナログデータ信号を生成するようになる。
【００６１】
また、データドライバー１２０は、５ビットのＢデジタルデータ信号ＭＢｄａｔａによりガンマ電圧発生部１２６から供給される３２個の互いに異なる電圧レベルを有するガンマ電圧ＧＭＡ１乃至ＧＭＡ３２中、第１乃至第１３ガンマ電圧ＧＭＡ１乃至ＧＭＡ１３に対応する０〜１．９Ｖ間のＢアナログデータ信号を生成するようになる。
【００６２】
【表３】
2005196115.tif 000005
【００６３】
このように、データドライバー１２０から生成されたＲ、Ｇ、Ｂアナログデータ信号をスキャン信号に同期するようにデータラインＤＬに供給することでＥＬパネル１６で所定の画像が表示されるようにする。
【００６４】
上述したように、本発明に係る平板表示装置は、外部から供給されるＮビットデジタルデータをＭビットデジタルデータに変換するルックアップテーブルを具備し、ルックアップテーブルを用いてＮビットデジタルデータを赤色、緑及び青色の発光セル別に互いに異なる発光効率に従って互いに異なる色差を有するＭビット赤色、緑及び青色デジタルデータに変換するようになる。これによって、本発明は、赤色、緑及び青色デジタルデータ別に同一ガンマ電圧を有するデータドライバーを用いて正確なカラー具現が可能になる。したがって、本発明は、赤色、緑及び青色デジタルデータ別に同一ガンマ電圧を利用するからデータドライバーの大きさ及び費用を減少させることができる。
【００６５】
本発明の実施の形態に係る平板表示装置はＥＬ表示装置を中心に説明したが、他の平板表示装置にも適用されることができる。
【００６６】
以上説明した内容を通じて、当業者であれば、本発明の技術思想を逸脱しない範囲内で多様な変更及び修正ができる。したがって、本発明の技術的範囲は明細書の詳細な説明に記載した内容に限定されるのではなく特許請求の範囲により決められなければならない。
【図面の簡単な説明】
【００６７】
【図１】通常のエレクトロルミネセンス素子の構造を図示した断面図である。
【図２】従来のエレクトロルミネセンス表示パネルの駆動装置を概略的に示すブロック図である。
【図３】図２に図示された画素を示す回路図である。
【図４】図２に図示されたデータドライバーを示すブロック図である。
【図５】図４に図示されたＲ、Ｇ、Ｂガンマ電圧生成部を示す回路図である。
【図６】本発明の実施の形態に係る平板表示装置のエレクトロルミネセンス表示パネルの駆動装置を概略的に示すブロック図である。
【図７】図６に図示されたルックアップテーブル及びデータドライバーを示すブロック図である。
【図８】図７に図示されたガンマ電圧部を示す回路図である。
【符号の説明】
【００６８】
２  陰極  ４  電子注入層  ６  電子輸送層  ８  発光層  １０  正孔輸送層  １２  正孔注入層  １４  陽極  １６、１１６  ＥＬパネル  １８、１１８  ゲートドライバー  ２０、１２０  データドライバー  ２８、１２８  画素  ３２  Ｒガンマ電圧生成部  ３４  Ｇガンマ電圧生成部  ３６  Ｂガンマ電圧生成部  ４０、１４０  タイミングコントローラー  １２６  ガンマ電圧発生部  １４２  ルックアップテーブル  １４４  Ｒルックアップテーブル  １４６  Ｇルックアップテーブル  １４８  Ｂルックアップテーブル。
【図１】
2005196115.tif 000006
【図２】
2005196115.tif 000007
【図３】
2005196115.tif 000008
【図４】
2005196115.tif 000009
【図５】
2005196115.tif 000010
【図６】
2005196115.tif 000011
【図７】
2005196115.tif 000012
【図８】
2005196115.tif 000013